(57)【要約】【課題】印刷媒体収容部内の印刷媒体の有無を検出する検出部材を引き上げることで当該検出部材が印刷媒体収容部を収納部から引き出す際の邪魔となることがないようにする。【解決手段】給紙カセットを収納部内に収納した状態から当該給紙カセットを引き出すと、給紙カセットの突起がリンク部材７１の突起７６と突き当たった状態が解除され、リンク部材７１がトーションバネ７３の付勢力により矢印７２の向きに回転し、検出部５３の突起７４に連結部材７５が係わり合って、連結部材７５により検出部５３が引き上げられて退避する。【選択図】図６
2010100349.tif 000002
【特許請求の範囲】
【請求項１】
印刷媒体を積層して収容する印刷媒体収容部と、
前記印刷媒体収容部が引出し自在に収納される収納部と、
前記収納部内に設けられ前記印刷媒体収容部から前記印刷媒体を送り出す印刷媒体搬出装置と、
前記収納部内に設けられ、前記印刷媒体収容部側に向かう方向及び前記印刷媒体収容部側から退避する方向に移動自在とされ、前記収納部に前記印刷媒体収容部が収納されているときには前記印刷媒体に接して前記印刷媒体の有無を検出する検出部材と、
前記印刷媒体収容部を前記収納部に収容する際には当該収容動作に連動して前記検出部材を前記印刷媒体の上面に接触させ、前記印刷媒体収容部を前記収納部から引き出す際には当該引出し動作に連動して前記検出部材を前記印刷媒体の上面から非接触となるように退避させる進退機構と、
を備えている印刷媒体供給装置。
【請求項２】
前記印刷媒体収容部に設けられた突起部をさらに備え、
前記進退機構は、
前記収納部内に回転自在に設けられ、付勢部材により一方向に回転するように付勢されていて前記収納部に前記印刷媒体収容部が収納されたときは前記突起部に突き当たって前記付勢部材による付勢方向とは逆方向に回転する回転部材と、
前記回転部材の回転動作に連動して、前記回転部材が前記突起部に突き当たっていないときは前記検出部材を前記収納部の底面側から引き上げ、前記回転部材が前記突起部に突き当たっているときは前記検出部材の前記底面側からの引き上げを解除するように切り替える第１の切替部材と、
を備えている請求項１に記載の印刷媒体供給装置。
【請求項３】
前記印刷媒体搬出装置は、前記印刷媒体収容部から前記印刷媒体を取り出す取出装置をさらに備え、
前記回転部材は、その回転動作により、前記突起部に突き当たっていないときは前記取出装置を前記収納部の底面側から引き上げ、前記突起部に突き当たっているときは前記取出装置の前記底面側からの引き上げを解除するように切り替える第２の切替部材をさらに備える、
請求項２に記載の印刷媒体供給装置。
【請求項４】
前記印刷媒体収容部に収容された前記印刷媒体の収容量にともなう前記検出手段の回転停止位置によって、前記印刷媒体の有無を検出する第１の検出器をさらに備える請求項１〜３の何れかの一項に記載の印刷媒体供給装置。
【請求項５】
前記第１の検出器は、前記回転部材が前記突起部に突き当たっているときには前記印刷媒体収容部内の前記印刷媒体がないときの回転停止位置で前記検出部材を検知し、前記印刷媒体があるときの回転停止位置で前記検出部材を検知せず、また、前記回転部材が前記突起部に突き当たっていないときの回転停止位置では前記検出部材を検知しないものである、請求項４に記載の印刷媒体供給装置。
【請求項６】
前記収納部内に設けられ、前記印刷媒体収容部の前記収納部内への収容の有無を検知する第２の検出器をさらに備えている請求項５に記載の印刷媒体供給装置。
【請求項７】
印刷媒体を積層して収容する印刷媒体収容部と、
前記印刷媒体収容部が引出し自在に収納される収納部と、
前記収納部内に設けられ前記印刷媒体収容部から前記印刷媒体を送り出す印刷媒体搬出装置と、
前記収納部内に設けられ、前記印刷媒体収容部側に向かう方向及び前記印刷媒体収容部側から退避する方向に移動自在とされ、前記収納部に前記印刷媒体収容部が収納されているときには前記印刷媒体に接して前記印刷媒体の有無を検出する検出部材と、
前記印刷媒体収容部を前記収納部に収容する際には当該収容動作に連動して前記検出部材を前記印刷媒体の上面に接触させ、前記印刷媒体収容部を前記収納部から引き出す際には当該引出し動作に連動して前記検出部材を前記印刷媒体の上面から非接触となるように退避させる進退機構と、
前記印刷媒体搬出装置で送り出された印刷媒体に対して画像形成を行う作像器と、
を備えている画像形成装置。
【請求項８】
印刷媒体を積層して収容する印刷媒体収容部と、
前記印刷媒体収容部が引出し自在に収納される収納部と、
前記収納部内に設けられ前記印刷媒体収容部から前記印刷媒体を送り出す印刷媒体搬出装置と、
前記収納部内に設けられ、前記印刷媒体収容部側に向かう方向及び前記印刷媒体収容部側から退避する方向に移動自在とされ、前記収納部に前記印刷媒体収容部が収納されているときには前記印刷媒体に接して前記印刷媒体の有無を検出する検出部材と、
前記印刷媒体収容部に設けられた突起部と、
前記収納部内に回転自在に設けられ、付勢部材により一方向に回転するように付勢されていて前記収納部に前記印刷媒体収容部が収納されたときは前記突起部に突き当たって前記付勢部材による付勢方向とは逆方向に回転する回転部材と、
前記回転部材に一端が回転自在に連結されていて、他端側は、前記回転部材の回転動作に連動して、前記回転部材が前記突起部に突き当たっていないときは前記検出部材に係わり合って前記収納部の底面側から引き上げ、前記回転部材が前記突起部に突き当たっているときは前記係わり合いを解除する連結部材と、
を備えている印刷媒体供給装置。
【発明の詳細な説明】
【技術分野】
【０００１】
本発明は、印刷媒体供給装置及び画像形成装置に関する。
【背景技術】
【０００２】
電子写真方式の画像形成装置では、画像形成に供する用紙などを収容した給紙カセットを備えている。この給紙カセットは画像形成装置の筐体下部に設けられた収容部内に収容、引出し自在である。
【０００３】
収容部内には給紙カセット内に積層収容された用紙の上に下がってきて当該用紙の最上層に接触し、用紙がなくなったときはその高さにより用紙がないことを検知するアクチュエータ検出部が設けられている。すなわち、このアクチュエータ検出部の高さ位置をフォトセンサなどの検出器で検出すれば、給紙カセット内に用紙がないことを検出することができる。
【特許文献１】特開平０５‐２４６６０８号公報
【特許文献２】特開平０５‐３０６０４１号公報
【特許文献３】特開２００４‐２９２０９３号公報
【特許文献４】特許第３９４１７１８号公報
【発明の開示】
【発明が解決しようとする課題】
【０００４】
本発明の目的は、検出部材が印刷媒体収容部を収納部から引き出す際の邪魔となることがないようにすることである。
【課題を解決するための手段】
【０００５】
請求項１に記載の発明は、印刷媒体を積層して収容する印刷媒体収容部と、前記印刷媒体収容部が引出し自在に収納される収納部と、前記収納部内に設けられ前記印刷媒体収容部から前記印刷媒体を送り出す印刷媒体搬出装置と、前記収納部内に設けられ、前記印刷媒体収容部側に向かう方向及び前記印刷媒体収容部側から退避する方向に移動自在とされ、前記収納部に前記印刷媒体収容部が収納されているときには前記印刷媒体に接して前記印刷媒体の有無を検出する検出部材と、前記印刷媒体収容部を前記収納部に収容する際には当該収容動作に連動して前記検出部材を前記印刷媒体の上面に接触させ、前記印刷媒体収容部を前記収納部から引き出す際には当該引出し動作に連動して前記検出部材を前記印刷媒体の上面から非接触となるように退避させる進退機構と、を備えている印刷媒体供給装置である。
【０００６】
請求項２に記載の発明は、請求項１に記載の印刷媒体供給装置において、前記印刷媒体収容部に設けられた突起部をさらに備え、前記進退機構は、前記収納部内に回転自在に設けられ、付勢部材により一方向に回転するように付勢されていて前記収納部に前記印刷媒体収容部が収納されたときは前記突起部に突き当たって前記付勢部材による付勢方向とは逆方向に回転する回転部材と、前記回転部材の回転動作に連動して、前記回転部材が前記突起部に突き当たっていないときは前記検出部材を前記収納部の底面側から引き上げ、前記回転部材が前記突起部に突き当たっているときは前記検出部材の前記底面側からの引き上げを解除するように切り替える第１の切替部材と、を備えている。
【０００７】
請求項３に記載の発明は、請求項２に記載の印刷媒体供給装置において、前記印刷媒体搬出装置は、前記印刷媒体収容部から前記印刷媒体を取り出す取出装置をさらに備え、前記回転部材は、その回転動作により、前記突起部に突き当たっていないときは前記取出装置を前記収納部の底面側から引き上げ、前記突起部に突き当たっているときは前記取出装置の前記底面側からの引き上げを解除するように切り替える第２の切替部材をさらに備える。
【０００８】
請求項４に記載の発明は、請求項１〜３の何れかの一項に記載の印刷媒体供給装置において、前記印刷媒体収容部に収容された前記印刷媒体の収容量にともなう前記検出手段の回転停止位置によって、前記印刷媒体の有無を検出する第１の検出器をさらに備える。
【０００９】
請求項５に記載の発明は、請求項４に記載の印刷媒体供給装置において、前記第１の検出器は、前記回転部材が前記突起部に突き当たっているときには前記印刷媒体収容部内の前記印刷媒体がないときの回転停止位置で前記検出部材を検知し、前記印刷媒体があるときの回転停止位置で前記検出部材を検知せず、また、前記回転部材が前記突起部に突き当たっていないときの回転停止位置では前記検出部材を検知しないものである。
【００１０】
請求項６に記載の発明は、請求項５に記載の印刷媒体供給装置において、前記収納部内に設けられ、前記印刷媒体収容部の前記収納部内への収容の有無を検知する第２の検出器をさらに備えている。
【００１１】
請求項７に記載の発明は、印刷媒体を積層して収容する印刷媒体収容部と、前記印刷媒体収容部が引出し自在に収納される収納部と、前記収納部内に設けられ前記印刷媒体収容部から前記印刷媒体を送り出す印刷媒体搬出装置と、前記収納部内に設けられ、前記印刷媒体収容部側に向かう方向及び前記印刷媒体収容部側から退避する方向に移動自在とされ、前記収納部に前記印刷媒体収容部が収納されているときには前記印刷媒体に接して前記印刷媒体の有無を検出する検出部材と、前記印刷媒体収容部を前記収納部に収容する際には当該収容動作に連動して前記検出部材を前記印刷媒体の上面に接触させ、前記印刷媒体収容部を前記収納部から引き出す際には当該引出し動作に連動して前記検出部材を前記印刷媒体の上面から非接触となるように退避させる進退機構と、前記印刷媒体搬出装置で送り出された印刷媒体に対して画像形成を行う作像器と、を備えている画像形成装置である。
【００１２】
請求項８に記載の発明は、印刷媒体を積層して収容する印刷媒体収容部と、前記印刷媒体収容部が引出し自在に収納される収納部と、前記収納部内に設けられ前記印刷媒体収容部から前記印刷媒体を送り出す印刷媒体搬出装置と、前記収納部内に設けられ、前記印刷媒体収容部側に向かう方向及び前記印刷媒体収容部側から退避する方向に移動自在とされ、前記収納部に前記印刷媒体収容部が収納されているときには前記印刷媒体に接して前記印刷媒体の有無を検出する検出部材と、前記印刷媒体収容部に設けられた突起部と、前記収納部内に回転自在に設けられ、付勢部材により一方向に回転するように付勢されていて前記収納部に前記印刷媒体収容部が収納されたときは前記突起部に突き当たって前記付勢部材による付勢方向とは逆方向に回転する回転部材と、前記回転部材に一端が回転自在に連結されていて、他端側は、前記回転部材の回転動作に連動して、前記回転部材が前記突起部に突き当たっていないときは前記検出部材に係わり合って前記収納部の底面側から引き上げ、前記回転部材が前記突起部に突き当たっているときは前記係わり合いを解除する連結部材と、を備えている印刷媒体供給装置である。
【発明の効果】
【００１３】
請求項１に記載の発明によれば、印刷媒体収納部内の印刷媒体の有無を検出する検出部材が印刷媒体収容部を収納部から引き出す際の邪魔にならないようにすることができる。
【００１４】
請求項２に記載の発明によれば、検出部材の引き上げを印刷媒体収容部の収容の引き出し動作に連動させることができる。
【００１５】
請求項３に記載の発明によれば、取出装置が印刷媒体収容部を収納部から引き出す際の邪魔にならないようにすることができる。
【００１６】
請求項４に記載の発明によれば、検出手段の停止位置で印刷媒体の有無を検出することができる。
【００１７】
請求項５に記載の発明によれば、第１の検出器が、回転部材が突起部に突き当たっているときに印刷媒体収容部内の印刷媒体があるときと同様に、回転部材が突起部に突き当たっていないときの回転位置では検出部材を検知しなくても、印刷媒体があると誤検出しないようにすることができる。
【００１８】
請求項６に記載の発明によれば、印刷媒体収容部が収納部に収納されていないことを検出することができる。
【００１９】
請求項７に記載の発明によれば、印刷媒体収納部内の印刷媒体の有無を検出する検出部材が印刷媒体収容部を収納部から引き出す際の邪魔にならないようにすることができる。
【００２０】
請求項８に記載の発明によれば、印刷媒体収納部内の印刷媒体の有無を検出する検出部材が印刷媒体収容部を収納部から引き出す際の邪魔にならないようにすることができる。
【発明を実施するための最良の形態】
【００２１】
以下、本発明の一実施の形態について説明する。
【００２２】
図１は、本実施の形態の画像形成装置の概略構成を示す説明図である。
【００２３】
この画像形成装置は、イエロー（Ｙ）、マゼンタ（Ｍ）、ブラック（Ｋ）及びシアン（Ｃ）の各色に対応した４本の感光体ドラム１Ｙ，１Ｍ，１Ｋ，１Ｃを備えた所謂タンデム型のカラープリンタであり、色毎の画情報に応じたトナー像を所定のタイミングで各感光体ドラム１Ｙ，１Ｍ，１Ｋ，１Ｃ上に形成する。また、各感光体ドラム１Ｙ，１Ｍ，１Ｋ，１Ｃに形成されたトナー像は第１中間転写ドラム２ａ，２ｂに一次転写された後、この第１中間転写ドラム２ａ，２ｂから第２中間転写ドラム３へと二次転写され、最終的には第２中間転写ドラム３に接する最終転写ロール４によって、かかる第２中間転写ドラム３から用紙Ｐへ最終転写されるようになっている。
【００２４】
各感光体ドラム１Ｙ，１Ｍ，１Ｋ，１Ｃには既知の電子写真プロセスによってトナー像が形成される。すなわち、感光体ドラムを帯電ロール１０によって所定の背景部電位に一様帯電させた後、ラスタ走査装置１１から発せられる光ビームＢｍで感光体ドラム１Ｙ，１Ｍ，１Ｋ，１Ｃを露光し、画情報に応じた静電潜像を感光体ドラム上に形成する。そして、この静電潜像を現像器１２によってトナー現像することより、感光体ドラム上に静電潜像を可視像化したトナー像が形成される。尚、図中において符号１３はトナー像を第１中間転写ドラム２ａ，２ｂに転写した後の感光体ドラム１Ｙ，１Ｍ，１Ｋ，１Ｃの表面を清掃するクリーナである。
【００２５】
上記第１中間転写ドラム２は２色の感光体ドラムに対して１本ずつ、計２本が設けられており、一方の第１中間転写ドラム２ａに対してはイエロー及びマゼンタの感光体ドラム１Ｙ，１Ｍからトナー像が転写され、他方の第１中間転写ドラム２ａに対してはブラック及びシアンの感光体ドラム１Ｋ，１Ｃからトナー像が転写され、各第１中間転写ドラム２ａ，２ｂ上では２色のトナー像が重ね合わされるようになっている。また、上記第２中間転写ドラム３は一対の第１中間転写ドラム２ａ，２ｂの双方に対して接しており、一方の第１中間転写ドラム２ａからイエロー及びマゼンタのトナー像が転写された後に、他方の第１中間転写ドラム２ｂからブラック及びシアンのトナー像が転写され、４色のトナー像が第２中間転写ドラム３上で重なり合うようになっている。
【００２６】
画像形成装置の筐体の下部には、用紙供給装置３１が設けられている。この用紙供給装置３１は、印刷媒体となる用紙Ｐが積層収容される給紙カセット３２と、給紙カセット３２が収納、引き出し自在に収納される収納部３３とを備えている。
【００２７】
用紙Ｐが積層収容された給紙カセット３２が収納部３３に収納されているときは、用紙Ｐは給紙カセット３２からピックアップロール６２によって搬出され、搬送ロール６３、用紙Ｐの搬送姿勢を整えるレジストレーションロール２３を経て最終転写ロール４が配設されたトナー像の最終転写位置にまで送り込まれる。最終転写ロール４は第２中間転写ドラム３に対して予め定められた線圧で圧接して所定幅のニップ領域を形成している。用紙Ｐはこのニップ領域を通過する際、電気的な静電吸引力と機械的な圧接力によってトナー像の転写を受ける。
【００２８】
このようにしてトナー像が最終転写された用紙Ｐは、加熱定着器５を経てトナー像の定着がなされた後、出口ロール２４を経てプリンタ筐体２５の上部に設けられた排紙トレイ２６に排出される。
【００２９】
次に、用紙供給装置３１について詳細に説明する。
【００３０】
図２は、給紙カセット３２の平面図である。
【００３１】
給紙カセット３２は、ケース４１内にボトムプレート４２が設けられ、このボトムプレート４２上に用紙Ｐが積層収容される。また、ケース４１内には用紙Ｐをそのサイズに応じて位置決めして案内するガイドプレート４３〜４５が設けられている。給紙カセット３２は、把持部４６を持って矢印４７の向きに押すことにより収納部３３内に収納でき、また、把持部４６を持って矢印４８の向きに引くことにより収納部３３から引き出すことができる。ボトムプレート４２上の用紙Ｐは最上位のものから１枚ずつ取り出されて矢印４９の向きに搬送される。
【００３２】
図３は、収納部３３内に給紙カセット３２を収納したときの給紙カセット３２の一部と上部装置５１との配置関係を示す斜視図である。
【００３３】
上部装置５１は、収納部３３内で画像形成装置本体側に取り付けられており、収納部３３内に給紙カセット３２を収納したときには、給紙カセット３２の挿入方向と直交する方向で用紙Ｐを送出する側の（矢印４９方向側の端部から見て）上方に位置している。
【００３４】
上部装置５１は、ボトムプレート４２上の用紙Ｐの有無を検出する用紙検出装置５２と、用紙検出装置５２の検出部５３を駆動する検出部駆動機構５４と、ボトムプレート４２上の用紙Ｐを最上位のものから１枚ずつ取り出して矢印４９の向きに搬送する用紙取出搬送装置５５とを備えている。
【００３５】
図４〜図６は、用紙検出装置５２及び検出部駆動機構５４の動作を説明する斜視図、図７及び図８は、用紙取出搬送装置５５を下側から見た斜視図、図９及び図１０は、用紙検出装置５２及び用紙取出搬送装置５５を下側から見たこれらの動作を説明する斜視図、図１１及び図１２は、用紙取出搬送装置５５の動作を説明する正面図、図１３及び図１４は、用紙取出搬送装置５５の動作を説明する側面図である。
【００３６】
主に図３〜図６、図９、図１０に明らかなように、用紙検出装置５２は、基端側が正逆回転自在に上部装置５１の筐体に取り付けられ、検出部駆動機構５４の影響を受けないときは尾端側が自重によりボトムプレート４２に向けて回転する検出部５３と、上部装置５１の筐体に取り付けられ、検出部５３の回転に応じて、検出部５３の突起部５５（図５、図６）の検出／非検出を行うフォトセンサ５６とを備えている。
【００３７】
用紙検出装置５２は、ボトムプレート４２上の用紙Ｐがないときは検出部５３の尾端側が下がってボトムプレート４２のボトムプレート検出孔５７に入り込み、検出部５３の突起部５５がフォトセンサ５６を遮断することにより、ボトムプレート４２上の用紙Ｐがないことを検出することができる。
【００３８】
図３、図７〜図１４に明らかなように、印刷媒体搬出装置となる用紙取出搬送装置５５は、上部装置５１のハウジング６１に設けられ、図示しないモータの駆動により回転し、ボトムプレート４２上の積層された用紙Ｐの束から最上位の用紙Ｐを取り出すピックアップロール６２と、上部装置５１の筐体に設けられ、図示しないモータの駆動により回転し、ピックアップロール６２の回転で取り出された用紙Ｐを搬送する取出装置となる搬送ロール６３とを備えている。
【００３９】
搬送ロール６３は、ピックアップロール６２より用紙Ｐの搬送方向（矢印４９の向き）の下流側に位置している。用紙取出搬送装置５５は、この搬送ロール６３の回転軸６４を回転中心として正逆方向に回転することができる。すなわち、回転軸６４を中心としてハウジング６１及びピックアップロール６２が回転し、もって、ピックアップロール６２は上下に移動することができる（図９と図１０、図１１と図１２、図１３と図１４のピックアップロール６２と搬送ロール６３の位置の違いを参照）。
【００４０】
図３〜図１０に明らかなように、検出部駆動機構５４は、上部装置５１の筐体に正逆回転自在に取り付けられたリンク部材７１と、リンク部材７１に取り付けられ、当該リンク部材７１を用紙Ｐを送り出す方向の手前から見て反時計回り（矢印７２の向き図４〜図６参照）に回転させるように付勢するトーションバネ７３と、軸状の部材であって、一端がリンク部材７１に正逆回転自在に取り付けられ、他端が検出部５３の突起７４と係わり合う連結部材７５とを備えている。リンク部材７１からは給紙カセット３２側に向かって突起７６が延びている。さらに、リンク部材７１からはハウジング６１側に向かって突上部材７８が延びている。
【００４１】
図２、図１５に示すように、給紙カセット３２の当該給紙カセット３２を収納部３３内に収納したときにリンク部材７１と向き合う位置には、突起７７が延び出ている。収納部３３に給紙カセット３２に収納すると、給紙カセット３２の突起７７がリンク部材７１の突起７６と突き当たり、突起７６が突起７７に押されてリンク部材７１がトーションバネ７３の付勢力に抗して矢印７６の向き（図４〜図６参照）に回転し、検出部５３の突起７４から連結部材７５が外れて検出部５３が解除され、これにより検出部５３は自重により下がって、給紙カセット３２内に用紙Ｐが収容されているときは当該用紙Ｐの束の上に先端部分が接した状態で停止する（図４の状態）。
【００４２】
この場合においては、検出部５３の突起部５５はフォトセンサ５６を遮断しないので（図４参照）、フォトセンサ５６は給紙カセット３２内に用紙Ｐが収容されていることを検出する。
【００４３】
また、この場合においては、突上部材７８が下がっていて、ハウジング６１及びピックアップロール６２は解除されているので、当該ハウジング６１及びピックアップロール６２は自重により下がり（図９、図１２、図１４の状態）、ピックアップロール６２が給紙カセット３２内に積層収容された用紙Ｐの束の上に接する。
【００４４】
次に、給紙カセット３２を収納部３３内に収納した状態で、給紙カセット３２内の用紙Ｐがなくなると、検出部５３は自重によりさらに下がって、ボトムプレート検出孔５７の中に落ち込む（図３、図５、図９の状態）。
【００４５】
このとき、検出部５３の突起部５５はフォトセンサ５６を遮断し（図５参照）、もって、フォトセンサ５６は給紙カセット３２内に用紙Ｐが収容されていないことを検出する。
【００４６】
このように給紙カセット３２が収納部３３内に収納された状態から給紙カセット３２を引き出すと、給紙カセット３２の突起７７がリンク部材７１の突起７６と突き当たった状態が解除され、リンク部材７１がトーションバネ７３の付勢力により矢印７２の向き（図４〜図６参照）に回転し、検出部５３の突起７４に連結部材７５が係わり合って、連結部材７５により検出部５３は引き上げられて退避する（図６、図１０の状態）。
【００４７】
よって、本構成を備えない場合に比べ、検出部５３を引き上げて退避させることで、検出部５３が給紙カセット３２の引き出しの邪魔となることがない。
【００４８】
また、本構成を備えない場合に比べ、少ない部品点数により検出部駆動機構５４を構成することができる。
【００４９】
さらに、この場合には、リンク部材７１の突上部材７８がハウジング６１を突き上げて、ハウジング６１、ひいてはピックアップロール６２が搬送ロール６３の回転軸を中心に回転して引き上げられ退避する（図７、図８、図１０、図１１、図１３の状態）。
【００５０】
よって、本構成を備えない場合に比べ、ピックアップロール６２が給紙カセット３２を収納部３３から引き出す際の邪魔にならないようにするための機構の部品点数を削減することができる。
【００５１】
さらに、図６に示すように、給紙カセット３２を収納部３３から引き出した状態では、検出部５３の突起部５５はフォトセンサ５６を遮断しない。これは、図４に示す給紙カセット３２を収納部３３に収納した状態で給紙カセット３２内に用紙Ｐが残っている場合と同様の検出となる。
【００５２】
図１６に示すように、給紙カセット３２の把持部４６側とは反対側（当該給紙カセット３２を収納部３３したときの奥部）には、凸状片８１（図２も参照）が設けられ、給紙カセット３２を収納部３３に収納したときの収納部３３の奥部の凸状片８１と対峙する位置にはプッシュ式のスイッチ８２が設けられている。
【００５３】
そして、給紙カセット３２を収納部３３に収納した状態では凸状片８１がスイッチ８２を押圧してスイッチ８２はオンとなるが、給紙カセット３２を収納部３３から引き出した状態では凸状片８１がスイッチ８２を押圧しないのでスイッチ８２はオフとなる。
【００５４】
よって、図６のフォトセンサ５６の検出が図４の場合と同じとなっても、給紙カセット３２内に用紙Ｐが残っていると誤検出しないようにすることができる。
【００５５】
なお、以上説明した例は画像形成装置内に本発明の印刷媒体供給装置を適用した用紙供給装置３１を設けた場合の例で説明したが、本発明はこれに限定されるものでなく、本発明の印刷媒体供給装置を適用した用紙供給装置３１を画像形成装置と別体の独立した装置として他の画像形成装置に用紙を供給する装置として実施してもよい。
【図面の簡単な説明】
【００５６】
【図１】本発明の一実施の形態である画像形成装置の全体構成を示す説明図である。
【図２】給紙カセットの平面図である。
【図３】収納部内に給紙カセットを収納したときの給紙カセットの一部と上部装置との配置関係を示す斜視図である。
【図４】用紙検出装置及び検出部駆動機構の動作を説明する斜視図である。
【図５】用紙検出装置及び検出部駆動機構の動作を説明する斜視図である。
【図６】用紙検出装置及び検出部駆動機構の動作を説明する斜視図である。
【図７】用紙取出搬送装置を下側から見た斜視図である。
【図８】用紙取出搬送装置を下側から見た斜視図である。
【図９】用紙検出装置及び用紙取出搬送装置を下側から見たこれらの動作を説明する斜視図である。
【図１０】用紙検出装置及び用紙取出搬送装置を下側から見たこれらの動作を説明する斜視図である。
【図１１】用紙取出搬送装置の動作を説明する正面図である。
【図１２】用紙取出搬送装置の動作を説明する正面図である。
【図１３】用紙取出搬送装置の動作を説明する側面図である。
【図１４】用紙取出搬送装置の動作を説明する側面図である。
【図１５】給紙カセットの突起とリンク部材の突起とが突き当たった状態を示す給紙カセットの側面図である。
【図１６】凸状片とプッシュ式のスイッチについて説明する斜視図である。
【符号の説明】
【００５７】
３１    用紙供給装置
５２    用紙検出装置
５４    検出部駆動機構
５５    用紙取出搬送装置
【図１】
2010100349.tif 000003
【図２】
2010100349.tif 000004
【図３】
2010100349.tif 000005
【図４】
2010100349.tif 000006
【図５】
2010100349.tif 000007
【図６】
2010100349.tif 000008
【図７】
2010100349.tif 000009
【図８】
2010100349.tif 000010
【図９】
2010100349.tif 000011
【図１０】
2010100349.tif 000012
【図１１】
2010100349.tif 000013
【図１２】
2010100349.tif 000014
【図１３】
2010100349.tif 000015
【図１４】
2010100349.tif 000016
【図１５】
2010100349.tif 000017
【図１６】
2010100349.tif 000018